(57)【要約】【課題】従来の空気調和機においては、設置場所に応じた自動運転モード判定が出来ないという課題を有していた。【解決手段】室内機吸込み空気温度を検出する室内吸込み温度検出手段と、外気温度を検出する外気温度検出手段と、室温を設定する室温設定温度手段と、自動モード判定の入力を室内機吸込み空気温度と室温の設定温度との差温より判定するか、室内機吸込み空気温度と設定温度との差温及び外気温度より判定するかを設置時に選択する自動モード判定入力現地設定手段とを備え、設置場所に応じて自動モード判定の入力を選択可能としたもので、自動運転モード判定の制御入力を、現地設定により選択可能としたことにより、設置場所などの条件に応じた自動運転モード判定方法を選択することができる。【選択図】図１
2006308157.tif 000002
【特許請求の範囲】
【請求項１】
冷房運転モードまたは暖房運転モードを選択する自動運転モード判定機能を有する空気調和機において、室内機吸込み空気温度を検出する室内吸込み温度検出手段と、外気温度を検出する外気温度検出手段と、室温を設定する室温設定手段と、前記自動モード判定の入力を前記室内機吸込み空気温度と室温の設定温度との差温より判定するか、前記室内機吸込み空気温度と前記設定温度との差温及び外気温度より判定するかを設置時に選択する自動モード判定入力現地設定手段とを備え、自動モード判定の入力を選択可能としたことを特徴とした空気調和機。
【請求項２】
自動運転モード判定初回の設定温度を通常の設定温度より一定値だけ変更する初回差温設定手段を備え、自動モード判定入力現地設定手段で、室内機吸込み空気温度と設定温度との差温より判定する選択をした場合、初回判定設定温度基準値を変更可能としたことを特徴とした請求項１に記載の空気調和機。
【請求項３】
自動モード判定入力現地設定手段で、室内機吸込み空気温度と設定温度との差温及び外気温度より判定する選択をした場合、初回判定は室内機吸込み空気温度と設定温度とで判定し、２回目以降は室内機吸込み空気温度と設定温度との差温及び外気温度より判定する手段を有したことを特徴とした請求項１に記載の空気調和機。
【請求項４】
運転モードまたは温度設定を行うリモコンと、前記リモコンに装着した室温検知手段と、吸込み温度検出手段で検知した温度と前記室温検知手段で検知した温度との差温を算出する演算手段とを備え、前記差温が一定値以上の場合、送風運転を所定時間行った後自動運転モード判定をすることを特徴とした請求項１に記載の空気調和機。
【請求項５】
差温が一定値以上の場合、差温の程度に応じて運転時間を変化させて送風運転を行った後自動運転モード判定をすることを特徴とした請求項４に記載の空気調和機。
【発明の詳細な説明】
【技術分野】
【０００１】
本発明は、冷房運転モードまたは暖房運転モードを選択する自動運転モード判定機能を有する空気調和機に関する。
【背景技術】
【０００２】
従来、この種の空気調和機の自動運転モード判定方法は、過去に自動運転モード選択で冷房運転モード運転中に暖房運転モードに変更したのであれば自動運転モード選択の判定基準を暖房運転モードに入りやすく、逆に、自動運転モード選択で暖房運転モード運転中に冷房運転モードに変更したのであれば自動運転モード選択の判定基準を冷房運転モードに入りやすくするといったものがあった（例えば、特許文献１参照）。
【０００３】
図６のフローチャートは、特許文献１に記載された従来の空気調和機の自動運転モード判定を示すものである。図６に示すように、まずステップ１０１で過去に自動運転モード選択で運転中、冷房運転または暖房運転へマニュアルモードで変更したか否かを判断する。変更したことがある場合、ステップ１０２で冷房運転への変更したことがある場合は入力温度（Ｔｇ）に１加算し、暖房運転への変更したことがある場合は入力温度（Ｔｇ）に１減じ、自動運転モード判定で冷房運転への変更したことがある場合は冷房運転モードに入りやすく、暖房運転への変更したことがある場合は暖房運転モードに入りやすくしている。
【特許文献１】特許第２９１１７１１号公報
【発明の開示】
【発明が解決しようとする課題】
【０００４】
しかしながら、前記従来の構成では、特定ユーザーが使用する設置場所には有効であるものの、不特定多数のユーザーが使用する設置場所においては、個人個人快適性に対する感覚差があることから、過去の運転モード変更履歴により運転モード判定の優位性を持たせることは、設置場所に応じた運転モード判定が出来るとは言えないという課題を有していた。
【０００５】
本発明は、前記従来の課題を解決するもので、自動運転モード判定の制御入力を、現地設定により選択可能とした機能を有する空気調和機を提供することを目的とする。
【課題を解決するための手段】
【０００６】
前記従来の課題を解決するために、本発明の空気調和機は、冷房運転モードまたは暖房運転モードを選択する自動運転モード判定機能を有する空気調和機において、室内機吸込み空気温度を検出する吸込み温度検出手段と、外気温度を検出する外気温度検出手段と、室温を設定する室温設定手段と、自動モード判定の入力を室内機吸込み空気温度と室温の設定温度との差温より判定するか、室内機吸込み空気温度と室温の設定温度との差温及び外気温度より判定するかを設置時に選択する自動モード判定入力現地設定手段とを備え、自動運転モード判定の制御入力を、現地設定により選択可能としたことを特徴としたものである。これによって、設置場所などの条件に応じた自動運転モード判定方法を選択することできる。
【発明の効果】
【０００７】
本発明の空気調和機は、設置場所などの条件に応じた自動運転モード判定方法を選択することできる。
【発明を実施するための最良の形態】
【０００８】
第１の発明は、冷房運転モードまたは暖房運転モードを選択する自動運転モード判定機能を有する空気調和機において、室内機吸込み空気温度を検出する室内吸込み温度検出手段と、外気温度を検出する外気温度検出手段と、室温を設定する室温設定手段と、前記自動モード判定の入力を前記室内機吸込み空気温度と室温の設定温度との差温より判定するか、前記室内機吸込み空気温度と前記設定温度との差温及び外気温度より判定するかを設置時に選択する自動モード判定入力現地設定手段とを備え、自動モード判定の入力を選択可能としたもので、これにより、設置場所などの条件に応じた自動運転モード判定方法を選択することできる。
【０００９】
第２の発明は、特に第１の発明の空気調和機を、自動運転モード判定初回の設定温度を通常の設定温度より一定値だけ設定温度を変更する初回差温設定手段を備え、前記自動モード判定入力現地設定手段で、室内機吸込み空気温度と設定温度との差温より判定する選択をした場合、初回判定温度基準値を変更可能としたもので、これにより、設置場所によって異なる運転開始時刻の空調負荷に応じた初回自動運転モード判定を行うことができる。
【００１０】
第３の発明は、特に第１の発明の空気調和機を、自動モード判定入力現地設定手段で、室内機吸込み空気温度と設定温度との差温及び外気温度より判定する選択をした場合、初回判定は室内機吸込み空気温度と設定温度とで判定し、２回目以降は室内機吸込み空気温度と設定温度との差温及び外気温度より判定する機能を有したもので、これにより、初回は室内の吸込み空気温度に適した自動モード判定が行え、２回目以降は外気温度も考慮した建物の熱負荷に応じた自動モード判定をすることができる。
【００１１】
第４の発明は、特に第１の発明の空気調和機を、運転モードまたは温度設定を行うリモコンと、前記リモコンに装着した室温検知手段と、前記吸込み温度検出手段で検知した温度と前記リモコンに装着した室温検知手段で検知した温度の差温を算出する演算機能を備え、前記差温が一定値以上の場合、所定時間だけ送風運転を行った後自動運転モード判定をするもので、これにより、室内温度の分布が大きい時は自動運転モード判定前に送風運転を行うことでサーキュレーションし、正確な室温認識をして自動運転モード判定を行うことができる。
【００１２】
第５の発明は、特に第４の発明の空気調和機を、差温が一定値以上の場合、差温の程度に応じて運転時間を変化させて送風運転を行った後自動運転モード判定をするもので、これにより、自動運転モード判定前に室内温度の分布の差温に応じた送風運転を行うことでサーキュレーションし、正確な室温認識をして自動運転モード判定を行うことができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の自動運転モード判定のフローチャートである。図１において、自動運転モード判定１０は、室内吸込み温度検出手段１１、外気温度検出手段１２、室温設定手段１３、自動運転モード判定入力現地設定手段１４、自動運転モード判定入力現地設定判定１５、吸込み温度と室温設定との差温を入力とした自動モード判定１６、吸込み温度と室温設定との差温及び外気温度を入力とした自動モード判定１７から構成されている。
【００１５】
図１より空気調和機の動作、作用について説明する。ユーザーは自動運転モード判定入力現地設定手段１４で、設置場所に応じた自動運転モード判定入力を自己の意思により選
択する。機器は自動運転モード判定入力現地設定判定１５により吸込み温度と室温設定入力による自動モード判定を選択された場合、室内吸込み温度検出手段１１及び室温設定手段１３からの入力に基づき吸込み温度と室温設定との差温を入力とした自動モード判定１６を行い、自動運転モード判定入力現地設定判定１５により吸込み温度と室温設定入力による自動モード判定を選択されなかった場合、室内吸込み温度検出手段１１、室温設定手段１３及び外気温度検出手段１２からの入力に基づき吸込み温度と室温設定との差温及び外気温度を入力とした自動モード判定１７を行う。
【００１６】
上記のことより、ユーザーは空気調和機の設置場所の条件及び使用用途に応じた自動運転モード判定方法を選択することできる。
【００１７】
（実施の形態２）
図２は、本発明の第２の実施の形態における空気調和機の自動運転モード判定のフローチャートである。図１と同じ構成要素については同じ符号を用い、説明を省略する。図２において、自動運転モード判定１０は、初回差温設定手段２１、自動モード判定初回判定２２、初回差温設定手段２１で設定した差温を室温設定に加える処理２３から構成となっている。
【００１８】
以上のように構成された空気調和機について、図２より以下その動作、作用を説明する。ユーザーは自動運転モード判定入力現地設定手段１４で、設置場所に応じた自動運転モード判定入力を自己の意思により選択する。また、自動モード判定初回時の設定温度差温を初回差温設定手段２１で入力する。機器は自動運転モード判定入力現地設定判定１５により吸込み温度と室温設定入力による自動モード判定を選択された場合、自動モード判定初回判定２２で判定が初回であるか否かを判定し、自動モード判定初回の場合は初回差温設定手段２１で設定した差温を室温設定に加える処理２３で加え、室内吸込み温度検出手段１１及び室温設定手段１３からの入力に基づき吸込み温度と室温設定との差温を入力とした自動モード判定１６を行う。
【００１９】
上記のことより、初回判定温度基準値が変更可能となり、設置場所によって異なる運転開始時刻の空調負荷に応じた初回自動運転モード判定を行うことができる。
【００２０】
（実施の形態３）
図３は、本発明の第３の実施の形態における空気調和機の自動運転モード判定のフローチャートである。図１と同じ構成要素については同じ符号を用い、説明を省略する。図３において、自動運転モード判定１０は、自動モード判定初回判定３１から構成されている。
【００２１】
以上のように構成された空気調和機について、図３より以下その動作、作用を説明する。ユーザーは自動運転モード判定入力現地設定手段１４で、設置場所に応じた自動運転モード判定入力を自己の意思により選択する。自動運転モード判定入力現地設定判定１５により吸込み温度と室温設定入力による自動モード判定を選択されなかった場合、自動モード判定初回判定３１により判定が初回であるか否かを判定し、自動モード判定初回の場合は室内吸込み温度検出手段１１及び室温設定手段１３からの入力に基づき吸込み温度と室温設定との差温を入力とした自動モード判定１６を行い、自動モード判定初回以外の場合は室内吸込み温度検出手段１１、室温設定手段１３及び外気温度検出手段１２からの入力に基づき吸込み温度と室温設定との差温及び外気温度を入力とした自動モード判定１７を行う。
【００２２】
上記のことより、ユーザーは空気調和機の設置場所及び使用用途に応じた自動運転モード判定方法を選択することでき、自動モード判定初回は室内の吸込み空気温度に適した自
動モード判定が行え、２回目以降は外気温度も考慮した建物の熱負荷に応じた自動モード判定をすることができる。
【００２３】
（実施の形態４）
図４は、本発明の第４の実施の形態における空気調和機の自動運転モード判定のフローチャートである。図１と同じ構成要素については同じ符号を用い、説明を省略する。図４において、自動運転モード判定１０は、リモコン室温検出手段４１、リモコン室温吸込み温度差温演算手段４２、リモコン室温吸込み温度差温判定４３、一定時間送風運転処理４４から構成されている。
【００２４】
以上のように構成された空気調和機について、図４より以下その動作、作用を説明する。リモコン室温検出手段４１により検出したリモコン付近温度と、室内吸込み温度検出手段１１にて検出した空気調和機の吸い込み付近温度との差温をリモコン室温吸込み温度差温演算手段４２により算出し、算出した差温がリモコン室温吸込み温度差温判定４３により一定しきい値から一定しきい値の間に入っているかを判定する。判定の結果、差温が一定しきい値から一定しきい値の間に入っていない場合、送風運転処理４４で所定時間送風運転を行った後自動運転モード判定をする。
【００２５】
上記のことより、室内温度の分布が大きい時は自動運転モード判定前に送風運転を行うことによりサーキュレーションし、正確な室温認識をして自動運転モード判定を行うことができる。
【００２６】
（実施の形態５）
図５は、本発明の第５の実施の形態における空気調和機の自動運転モード判定のフローチャートである。図１及び図４と同じ構成要素については同じ符号を用い、説明を省略する。図５において、自動運転モード判定１０は、リモコン差温−吸込み温度差温判定Ａ５１、リモコン差温−吸込み温度差温判定Ｂ５２、３０秒間送風運転処理５３、１分間送風運転処理５４から構成されている。
【００２７】
以上のように構成された空気調和機について、図５より以下その動作、作用を説明する。リモコン室温検出手段４１により検出したリモコン付近温度と、室内吸込み温度検出手段１１にて検出した空気調和機の吸い込み付近温度との差温をリモコン室温吸込み温度差温演算手段４２により算出し、算出した差温が「リモコン差温−吸込み温度差温判定Ａ５１」により３Ｋ未満または−３Ｋを超えるか否かを判定する。「リモコン差温−吸込み温度差温判定Ａ５１」の結果、差温が３Ｋ未満または−３Ｋを超えない場合は、更に「リモコン差温−吸込み温度差温判定Ｂ５２」により５Ｋ未満または−５Ｋを超えるか否かを判定する。「リモコン差温−吸込み温度差温判定Ｂ５２」の結果、差温が５Ｋ未満または−５Ｋを超えない場合は１分間送風運転処理５４にて１分間送風運転を行った後自動運転モード判定し、差温が５Ｋ未満または−５Ｋを超える場合は３０秒間送風運転処理５３にて３０秒間送風運転を行った後自動運転モード判定をする。
【００２８】
上記のことより、自動運転モード判定前に室内温度の分布の差温に応じた送風運転を行うことによりサーキュレーションし、不必要に長い送風運転をすることなく正確な室温認識をして自動運転モード判定を行うことができる。
【００２９】
以上、実施の形態についてフローチャートを用いて説明したが、フローチャートに示す自動モード判定入力現地設定手段までのフローについては、自動モード判定入力現地設定判定のあとに、適宜行うようにしてもよい。
【産業上の利用可能性】
【００３０】
以上のように、本発明にかかる空気調和機は、設置場所及び使用用途に応じた自動運転モード判定方法を選択することできるので、空気調和機の室内機形態に拘わらず天井埋め込み型４方向カセット室内機、天井吊り型室内機、壁掛け型室内機等にも適用できる。
【図面の簡単な説明】
【００３１】
【図１】本発明の実施の形態１における空気調和機の自動運転モード判定のフローチャート
【図２】本発明の実施の形態２における空気調和機の自動運転モード判定のフローチャート
【図３】本発明の実施の形態３における空気調和機の自動運転モード判定のフローチャート
【図４】本発明の実施の形態４における空気調和機の自動運転モード判定のフローチャート
【図５】本発明の実施の形態５における空気調和機の自動運転モード判定のフローチャート
【図６】従来の空気調和機の自動運転モード判定のフローチャート
【符号の説明】
【００３２】
１０  自動運転モード判定
１１  室内吸込み温度検出手段
１２  外気温度検出手段
１３  室温設定手段
１４  自動運転モード判定入力現地設定手段
１５  自動運転モード判定入力現地設定判定
１６  吸込み温度と室温設定との差温を入力とした自動モード判定
１７  吸込み温度と室温設定との差温及び外気温度を入力とした自動モード判定
２１  初回差温設定手段
２２  自動モード判定初回判定
３１  自動モード判定初回判定
４１  リモコン室温検出手段
４２  リモコン室温吸込み温度差温演算手段
４４  一定時間送風運転処理
５１  リモコン差温−吸込み温度差温判定Ａ
５２  リモコン差温−吸込み温度差温判定Ｂ
【図１】
2006308157.tif 000003
【図２】
2006308157.tif 000004
【図３】
2006308157.tif 000005
【図４】
2006308157.tif 000006
【図５】
2006308157.tif 000007
【図６】
2006308157.tif 000008